(57)【特許請求の範囲】
【請求項１】
検体を測定するための第１測定部と、前記第１測定部を制御する第１制御部とを具備する第１検体分析装置と、
検体を測定するための第２測定部と、前記第２測定部を制御する第２制御部とを具備する第２検体分析装置と、
前記第１検体分析装置及び前記第２検体分析装置に対するオーダ情報を登録可能な検査情報管理装置と、
を備え、
前記検査情報管理装置は、前記第１検体分析装置に対して、登録されているオーダ情報の数を通知するためのオーダ数通知情報を送信するように構成されており、
前記第１制御部は、前記オーダ数通知情報を受信した場合に、受信された前記オーダ数通知情報に基づいて、登録されているオーダ情報の数に関する所定の条件を満たしているか否かを判定し、前記所定の条件を満たした場合に、前記第２検体分析装置を起動するための起動信号を送信するように構成されており、
前記第２制御部は、前記起動信号を受信した場合に、前記第２検体分析装置を起動するように構成されている、
検体分析システム。
【請求項２】
前記第１制御部は、前記起動信号を送信した後に、前記第１検体分析装置の動作に関する設定情報を送信するように構成されており、
前記第２制御部は、前記設定情報を受信した場合に、前記設定情報に基づいて、前記第２検体分析装置の動作設定を行うための設定処理を実行するように構成されている、
請求項１に記載の検体分析システム。
【請求項３】
前記第２制御部は、前記設定情報を受信した場合に、前記設定情報に基づいて、前記第１検体分析装置と同じ設定条件で、前記第２検体分析装置の動作設定を行うように構成されている、
請求項２に記載の検体分析システム。
【請求項４】
前記第２制御部は、前記設定情報を受信した場合に、前記設定情報に基づいて、前記第１検体分析装置とは異なる設定条件で、前記第２検体分析装置の動作設定を行うように構成されている、
請求項２に記載の検体分析システム。
【請求項５】
前記第１制御部は、前記第１検体分析装置を第１モード及び前記第１モードとは異なる第２モードの何れかに設定することが可能であり、
前記第２制御部は、前記第２検体分析装置を前記第１モード及び前記第２モードの何れかに設定することが可能であり、
前記設定情報は、前記第１検体分析装置が前記第１モード及び前記第２モードの何れに設定されていたかを示すモード情報を含み、
前記第２制御部は、前記設定情報を受信した場合に、受信された前記設定情報に含まれる前記モード情報に基づいて、前記第２検体分析装置を前記第１モード及び前記第２モードの何れかに設定するように構成されている、
請求項３又は４に記載の検体分析システム。
【請求項６】
前記第１モードは、自動搬送された検体を分析するサンプラモードであり、
前記第２モードは、手動で供給された検体を分析するマニュアルモードである、
請求項５に記載の検体分析システム。
【請求項７】
前記第１測定部は、試薬を収容した試薬容器を設置可能であり、設置された前記試薬容器に収容された試薬を用いて、検体の測定を行うように構成されており、
前記第１検体分析装置は、前記第１測定部に設置されている試薬容器に収容された試薬の残量を記憶する試薬残量記憶部をさらに具備し、
前記所定の条件は、登録されているオーダ情報の数の検体分析を実行するためには、前記第１測定部に設置されている試薬容器に収容された試薬の残量が不足することである、
請求項１乃至６の何れか一項に記載の検体分析システム。
【請求項８】
前記第１検体分析装置は、表示部を具備し、
前記第２制御部は、起動処理を実行した後に、起動したことを示す起動通知情報を送信するように構成されており、
前記第１制御部は、前記起動信号を送信してから所定時間経過するまでに、前記起動通知情報を受信しなかった場合に、前記第２検体分析装置が起動しなかったことを示す情報を表示すべく前記表示部を制御するように構成されている、
請求項１乃至７の何れか一項に記載の検体分析システム。
【請求項９】
検体を測定するための第１測定部と、前記第１測定部を制御する第１制御部とを具備する第１検体分析装置と、検体を測定するための第２測定部と、前記第２測定部を制御する第２制御部とを具備する第２検体分析装置と、前記第１検体分析装置及び前記第２検体分析装置に対するオーダ情報を登録可能な検査情報管理装置とを含む検体分析システムの管理方法であって、
前記検査情報管理装置が、前記第１検体分析装置に対して、登録されているオーダ情報の数を通知するためのオーダ数通知情報を送信するステップと、
前記第１制御部が、前記オーダ数通知情報を受信した場合に、受信された前記オーダ数通知情報に基づいて、登録されているオーダ情報の数に関する所定の条件を満たしているか否かを判定し、前記所定の条件を満たした場合に、前記第２検体分析装置を起動するための起動信号を送信するステップと、
前記第２制御部は、前記起動信号を受信した場合に、前記第２検体分析装置を起動するステップと、
を有する、
検体分析システムの管理方法。
【発明の詳細な説明】
【技術分野】
【０００１】
本発明は、血液検体又は尿検体等の人又は動物から採取された検体を分析する検体分析システム及び検体分析装置並びにかかる検体分析システムの管理方法に関する。
【背景技術】
【０００２】
血球計数装置、血液凝固測定装置、免疫分析装置、生化学分析装置、及び尿分析装置等、血液又は尿を分析する検体分析装置が知られている。
【０００３】
同種の検体分析装置を複数台設置している病院又は検査センター等の施設においては、使用する検体分析装置を例えば日又は週毎に切り替え、設置された複数台の検体分析装置のうちの一部を使用しているときには、他の検体分析装置を使用しないように運用することがある。このとき、使用していない検体分析装置は予備用とされ、シャットダウンした状態とされる。使用中の検体分析装置に異常が発生した場合、又は検体数が多く、使用している検体分析装置では全ての検体の分析が完了するまでに多くの時間を要する場合等に、予備の検体分析装置が起動され、検体分析に供される。
【０００４】
例えば、特許文献１に開示されている検体分析装置のように、検体分析装置に異常が発生した場合には、異常の発生が検体分析装置の画面に表示され、ユーザに通知される。ユーザは、検体分析装置の異常発生を確認した場合、又は、稼働中の検体分析装置だけでは検体分析に時間がかかると判断した場合には、手動で予備の検体分析装置を起動する。
【０００５】
また、時間によって使用する検体分析装置を切り替える場合には、切り替え時刻に到達したときに、オペレータが手動で使用中の検体分析装置をシャットダウンし、使用していなかった検体分析装置を起動することが行われている。
【先行技術文献】
【特許文献】
【０００６】
【特許文献１】特開２００８−３２４９３号公報
【発明の概要】
【発明が解決しようとする課題】
【０００７】
しかしながら、予備の検体分析装置を起動するためには、オペレータが予備の検体分析装置の設置場所まで移動し、起動作業を行う必要がある。使用している検体分析装置の近くに予備の検体分析装置が設置されていない場合もあり、効率的に予備の検体分析装置を起動することができず、その間処理が滞る虞があった。また、オペレータが装置の異常に気付かなかったり、検体数が過大であることの判断に遅れることにより、予備の検体分析装置が長時間起動されず、検体処理が滞ることもある。
【０００８】
また、時間によって使用する検体分析装置を切り替える場合においても、使用している検体分析装置の近くに次回使用する検体分析装置が設置されていない場合には、オペレータは効率的に切替作業を行うことができないという問題がある。
【０００９】
本発明は、かかる課題に鑑みてなされたものであり、検体分析装置を起動させる必要が生じた場合に、検体分析装置を迅速に起動することができる検体分析システム、検体分析装置、及び検体分析システムの管理方法を提供することを目的とする。
【課題を解決するための手段】
【００１０】
上述した課題を解決するために、本発明の一の態様の検体分析システムは、検体を測定するための第１測定部と、前記第１測定部を制御する第１制御部とを具備する第１検体分析装置と、検体を測定するための第２測定部と、前記第２測定部を制御する第２制御部とを具備する第２検体分析装置と、前記第１検体分析装置及び前記第２検体分析装置に対するオーダ情報を登録可能な検査情報管理装置と、を備え、前記検査情報管理装置は、前記第１検体分析装置に対して、登録されているオーダ情報の数を通知するためのオーダ数通知情報を送信するように構成されており、前記第１制御部は、前記オーダ数通知情報を受信した場合に、受信された前記オーダ数通知情報に基づいて、登録されているオーダ情報の数に関する所定の条件を満たしているか否かを判定し、前記所定の条件を満たした場合に、前記第２検体分析装置を起動するための起動信号を送信するように構成されており、前記第２制御部は、前記起動信号を受信した場合に、前記第２検体分析装置を起動するように構成されている。
【００１１】
このような構成とすることにより、第１検体分析装置について所定の条件が満たされた場合に、自動的に第２検体分析装置が起動されるので、従来に比して迅速に第２検体分析装置を起動することが可能となる。また、オペレータが、第１検体分析装置について所定の条件が満たされたことに気付かない、又は所定の条件を満たしているかどうかの判断に時間を要するような場合にも、第２検体分析装置が自動的に起動され、検体処理が滞ることを抑制することができる。また、第１検体分析装置にとっては過大なオーダが登録されている場合に、第２検体分析装置を自動的に起動することができ、検体処理能力を増大させることができる。
【００１２】
上記態様において、前記第１制御部は、前記起動信号を送信した後に、前記第１検体分析装置の動作に関する設定情報を送信するように構成されており、前記第２制御部は、前記設定情報を受信した場合に、前記設定情報に基づいて、前記第２検体分析装置の動作設定を行うための設定処理を実行するように構成されていてもよい。これにより、第２検体分析装置を起動させる必要が生じたときの第１検体分析装置の動作設定に基づいて、第２検体分析装置が動作設定されるため、起動した後の第２検体分析装置を、その時点において好ましい状態に設定することが可能となる。
【００１３】
上記態様において、前記第２制御部は、前記設定情報を受信した場合に、前記設定情報に基づいて、前記第１検体分析装置と同じ設定条件で、前記第２検体分析装置の動作設定を行うように構成されていてもよい。これにより、第２検体分析装置を起動させる必要が生じたときの第１検体分析装置の動作設定と同一の動作設定が第２検体分析装置に対してなされるため、起動した後の第２検体分析装置を、第１検体分析装置と同様に使用することができる。
【００１４】
上記態様において、前記第２制御部は、前記設定情報を受信した場合に、前記設定情報に基づいて、前記第１検体分析装置とは異なる設定条件で、前記第２検体分析装置の動作設定を行うように構成されていてもよい。これにより、第２検体分析装置を起動させる必要が生じたときの第１検体分析装置の動作設定とは異なるが、その時点において適切な動作設定を第２検体分析装置に対して行うことができる。
【００１５】
上記態様において、前記第１制御部は、前記第１検体分析装置を第１モード及び前記第１モードとは異なる第２モードの何れかに設定することが可能であり、前記第２制御部は、前記第２検体分析装置を前記第１モード及び前記第２モードの何れかに設定することが可能であり、前記設定情報は、前記第１検体分析装置が前記第１モード及び前記第２モードの何れに設定されていたかを示すモード情報を含み、前記第２制御部は、前記設定情報を受信した場合に、受信された前記設定情報に含まれる前記モード情報に基づいて、前記第２検体分析装置を前記第１モード及び前記第２モードの何れかに設定するように構成されていてもよい。これにより、第２検体分析装置を起動させる必要が生じたときの第１検体分析装置の動作モードに基づいて、第２検体分析装置の動作モードが設定されるため、起動した後の第２検体分析装置を、その時点において好ましい動作モードに設定することが可能となる。
【００１６】
上記態様において、前記第１モードは、自動搬送された検体を分析するサンプラモードであり、前記第２モードは、手動で供給された検体を分析するマニュアルモードであるようにしてもよい。
【００２４】
上記態様において、前記第１測定部は、試薬を収容した試薬容器を設置可能であり、設置された前記試薬容器に収容された試薬を用いて、検体の測定を行うように構成されており、前記第１検体分析装置は、前記第１測定部に設置されている試薬容器に収容された試薬の残量を記憶する試薬残量記憶部をさらに具備し、前記所定の条件は、登録されているオーダ情報の数の検体分析を実行するためには、前記第１測定部に設置されている試薬容器に収容された試薬の残量が不足することであってもよい。これにより、第１検体分析装置では全てのオーダについての検体分析を行うことができない場合に、第２検体分析装置を自動的に起動することができ、より多くのオーダに対応することが可能となる。
【００２５】
上記態様において、前記第１検体分析装置は、表示部を具備し、前記第２制御部は、起動処理を実行した後に、起動したことを示す起動通知情報を送信するように構成されており、前記第１制御部は、前記起動信号を送信してから所定時間経過するまでに、前記起動通知情報を受信しなかった場合に、前記第２検体分析装置が起動しなかったことを示す情報を表示すべく前記表示部を制御するように構成されていてもよい。これにより、第２検体分析装置の起動に失敗した場合に、第２検体分析装置が起動しなかったことをオペレータに知らせることができる。
【００３２】
本発明の一の態様の検体分析システムの管理方法は、検体を測定するための第１測定部と、前記第１測定部を制御する第１制御部とを具備する第１検体分析装置と、検体を測定するための第２測定部と、前記第２測定部を制御する第２制御部とを具備する第２検体分析装置と、前記第１検体分析装置及び前記第２検体分析装置に対するオーダ情報を登録可能な検査情報管理装置とを含む検体分析システムの管理方法であって、前記検査情報管理装置が、前記第１検体分析装置に対して、登録されているオーダ情報の数を通知するためのオーダ数通知情報を送信するステップと、前記第１制御部が、前記オーダ数通知情報を受信した場合に、受信された前記オーダ数通知情報に基づいて、登録されているオーダ情報の数に関する所定の条件を満たしているか否かを判定し、前記所定の条件を満たした場合に、前記第２検体分析装置を起動するための起動信号を送信するステップと、前記第２制御部は、前記起動信号を受信した場合に、前記第２検体分析装置を起動するステップと、を有する。
【発明の効果】
【００３３】
本発明によれば、検体分析装置を起動させる必要が生じた場合に、検体分析装置を迅速に起動することが可能となる。
【図面の簡単な説明】
【００３４】
【図１】実施の形態１に係る検体分析システムの全体構成を示す模式図。
【図２】第１検体分析装置の構成を示す斜視図。
【図３】第１検体分析装置の測定ユニットの構成の一部を示すブロック図。
【図４】第１検体分析装置の情報処理ユニットの構成を示すブロック図。
【図５】試薬残量情報の構成を示す模式図。
【図６】第１異常データベースの構成を示す模式図。
【図７】第２異常データベースの構成を示す模式図。
【図８】第２検体分析装置の情報処理ユニットの構成を示すブロック図。
【図９】実施の形態１に係る第１検体分析装置の情報処理ユニットの動作の手順を示すフローチャート。
【図１０】実施の形態１に係る第２検体分析装置の情報処理ユニットの動作の手順を示すフローチャート。
【図１１】設定情報を説明するための図。
【図１２】サブ機起動通知画面の一例を示す図。
【図１３】遠隔シャットダウン動作における第１検体分析装置の情報処理ユニットの動作の手順を示すフローチャート。
【図１４】遠隔シャットダウン動作における第２検体分析装置の情報処理ユニットの動作の手順を示すフローチャート。
【図１５】実施の形態２に係る検体分析システムの全体構成を示す模式図。
【図１６】検査情報管理装置の構成を示すブロック図。
【図１７】実施の形態２に係る検査情報管理装置の動作の手順を示すフローチャート。
【図１８】実施の形態２に係る第１検体分析装置の情報処理ユニットの動作の手順を示すフローチャート。
【図１９】実施の形態３に係る検査情報管理装置の動作の手順を示すフローチャート。
【図２０】実施の形態４に係る第１検体分析装置の情報処理ユニットの動作の手順を示すフローチャート。
【図２１】サブ機起動確認画面を示す図。
【発明を実施するための形態】
【００３５】
以下、本発明の好ましい実施の形態を、図面を参照しながら説明する。
【００３６】
（実施の形態１）
［検体分析システムの構成］
図１は、本実施の形態に係る検体分析システムの全体構成を示す模式図である。本実施の形態に係る検体分析システム１００は、第１検体分析装置１と、第２検体分析装置２とを備えている。この検体分析システム１００は、病院又は検査センター等の１つの施設内に設置されている。
【００３７】
第１検体分析装置１及び第２検体分析装置２は、同一の種類の検体分析装置である。即ち、第１検体分析装置１は、血液検体に含まれる血球を白血球、赤血球、血小板等を検出し、各血球を計数する多項目血球分析装置であり、第２検体分析装置２も、多項目血球分析装置である。
【００３８】
第１検体分析装置１は、測定ユニット１１と、測定ユニット１１の前面側に配置された検体搬送ユニット１２と、測定ユニット１１及び検体搬送ユニット１２を制御可能な情報処理ユニット１３とを備えており、さらに第１検体分析装置１は、無線通信ユニット１４を備えている。第２検体分析装置２は、無線通信ユニット２４を備えている。無線通信ユニット１４、２４は、共通の無線通信規格ＩＥＥＥ８０２．１１に準拠しており、相互に通信可能である。
【００３９】
図２は、第１検体分析装置１の構成を示す斜視図である。図２に示すように、第１検体分析装置１は、複数の検体容器を保持した検体ラックを検体搬送ユニット１２によって搬送し、測定ユニット１１によって検体容器から検体を吸引し、当該検体を分析する。検体容器Ｔは、管状をなしており、上端が開口している。内部には患者から採取された血液検体が収容され、上端の開口は蓋部により密封されている。検体容器Ｔの側面には、バーコードラベルが貼付されている。このバーコードラベルには、検体ＩＤを示すバーコードが印刷されている。検体ラックＬは、１０本の検体容器Ｔを並べて保持することが可能である。検体ラックＬでは、各検体容器Ｔが垂直状態（立位状態）で保持される。また、検体ラックＬの側面には、バーコードラベルが貼付されている。このバーコードラベルには、ラックＩＤを示すバーコードが印刷されている。
【００４０】
＜第１検体分析装置の構成＞
以下、第１検体分析装置１の構成について説明する。
【００４１】
＜測定ユニットの構成＞
次に、測定ユニットの構成について説明する。図２に示すように、測定ユニット１１の前面には、検体容器Ｔを測定ユニット１１の内部に取り込むための取込口と、検体ラックＬから検体容器Ｔを測定ユニット１１の内部に取り込み、検体吸引部による吸引位置まで検体容器Ｔを搬送する検体容器取込部１１ａとを有している。この検体容器取込部１１ａには、検体容器Ｔを設置可能な設置部１１ｂが設けられている。後述するサンプラモードでは、検体搬送ユニット１２によって搬送された検体容器Ｔが検体容器取込部１１ａによって自動的に測定ユニット１１の内部に取り込まれ、検体測定が行われる。他方、マニュアルモードでは、検体容器取込部１１ａが取込口から前方へ移動し、オペレータが検体容器Ｔを設置部１１ｂに設置し、測定ユニット１１の前面に設けられた測定開始スイッチをオンすることにより、検体容器Ｔが測定ユニット１１の内部に取り込まれ、検体測定が行われる。
【００４２】
図３は、測定ユニット１１の構成の一部を示すブロック図である。図３に示すように、測定ユニット１１は、検出部１１１と、電流計１１２と、漏水センサ１１３と、圧力センサ１１４と、試薬容器１１５と、気泡センサ１１６と、排液タンク１１７と、液量センサ１１８と、通信部１１９とを有している。検出部１１１は、ＷＢＣ測定（白血球計数）及びＤＩＦＦ測定（白血球分類）を行うことができる光学検出器として構成されている。この検出部１１１は、ＷＢＣ（白血球）、ＮＥＵＴ（好中球）、ＬＹＭＰＨ（リンパ球）、ＥＯ（好酸球）、ＢＡＳＯ（好塩基球）、及びＭＯＮＯ（単球）の検出を、半導体レーザを使用したフローサイトメトリー法により行うことが可能であるように構成されている。染色試薬と、溶血剤と、希釈液とが混合された測定試料の測定がこの検出部１１１により行われ、これにより得られた測定データを情報処理ユニット１３が解析処理することによりＮＥＵＴ、ＬＹＭＰＨ、ＥＯ、ＢＡＳＯ、ＭＯＮＯ、及びＷＢＣの測定が行われる。
【００４３】
検出部１１１は、フローセルを有しており、当該フローセル中に送り込まれた測定試料に対して半導体レーザ光を照射し、このときに発生した前方散乱光、側方散乱光、及び側方蛍光を受光して、前方散乱光強度、側方散乱光強度、及び側方蛍光強度を検出するようになっている。このようにして得られた前方散乱光強度、側方散乱光強度、及び側方蛍光強度の各光学情報を含む測定データが、測定ユニット１１から情報処理ユニット１３へと送信され、情報処理ユニット１３により解析される。
【００４４】
電流計１１２は、検出部１１１が有する半導体レーザ照射部の出力電流を計測する。このレーザ出力電流の計測値は情報処理ユニット１３に与えられ、レーザ出力電流値が所定値を越えた場合、レーザ出力異常が発生したと判断される。
【００４５】
漏水センサ１１３は、測定ユニット１１の内部の漏水を検出する。漏水センサ１１３が漏水を検出した場合、検出信号が情報処理ユニット１３に与えられ、漏水異常が発生したと判断される。
【００４６】
圧力センサ１１４は、測定ユニット１１の内部の所定箇所における圧力を検出する。圧力センサが検出した圧力値のデータは情報処理ユニット１３に与えられ、圧力値が正常範囲から逸脱する場合、圧力異常が発生したと判断される。
【００４７】
試薬容器１１５には、検体測定に使用される試薬（染色試薬、溶血剤、希釈液等）が収容されている。かかる試薬容器１１５は、測定ユニット１１の内部に設置され、前記検出部１１１に繋がる流体回路に接続される。試薬容器につながる試薬の流通ラインには気泡センサ１１６が取り付けられている。この気泡センサ１１６は、前記流通ラインにおける気泡を検出する。気泡センサ１１６が気泡を検出した場合、検出信号が情報処理ユニット１３に与えられ、試薬容器１１５の試薬残量異常が発生したと判断される。
【００４８】
排液タンク１１７は、検体の測定により生じた排液（使用済の検体と試薬との混合液等）を収容する。検出部１１１から排液タンク１１７へは排液の流通ラインが設けられており、検出部１１１によって生じた排液は排液タンク１１７へと排出される。
【００４９】
液量センサ１１８は、排液タンク１１７内に設置されており、排液タンク１１７の液量を検出する。液量センサ１１８の検出信号は情報処理ユニット１３に与えられ、液量が所定値を越えた場合、排液異常（排液満杯）が発生したと判断される。
【００５０】
通信部１１９は、例えばUSB，IEEE1394，又はRS-232C等の入出力インタフェースにより構成されている。この通信部１１９は、電流計１１２、漏水センサ１１３、圧力センサ１１４、気泡センサ１１６、液量センサ１１８と接続されており、これらのセンサから出力された信号を受信するように構成されている。また、通信部１１９は、情報処理ユニット１３に接続されており、情報処理ユニット１３と測定ユニット１１とが通信可能となっている。
【００５１】
測定ユニット１１の内部には、バーコード読取部１１ｃが設けられている。バーコード読取部１１ｃは、測定ユニット１１の内部に取り込まれた検体容器Ｔの検体バーコードから検体ＩＤが読み取られる。バーコード読取部１２ａは通信部１１９と接続されており、読み取られた検体ＩＤは通信部１１９を通じて情報処理ユニット１３へ与えられる。情報処理ユニット１３は、検体ＩＤをキーとして測定オーダを取得し、この測定オーダにおいて指定された項目の検体測定を行うよう、測定ユニット１１が制御される。検体ＩＤが読み取られた検体容器Ｔからは、測定ユニット１１の内部において検体が吸引され、この検体が試薬と混合されて、検体測定が行われる。
【００５２】
＜検体搬送ユニットの構成＞
次に、検体搬送ユニット１２の構成について説明する。図２に示すように、第１検体分析装置１の測定ユニット１１の前方には、検体搬送ユニット１２が配置されている。かかる検体搬送ユニット１２は、測定ユニット１１へ検体を供給するために、検体ラックＬを搬送することが可能である。
【００５３】
検体搬送ユニット１２は、分析が行われる前の検体を収容する検体容器Ｔを保持する複数の検体ラックＬを一時的に保持することが可能な分析前ラック保持部１２１と、測定ユニット１１によって検体が吸引された検体容器Ｔを保持する複数の検体ラックＬを一時的に保持することが可能な分析後ラック保持部１２２と、検体を測定ユニット１１に供給するために、検体ラックＬを測定ユニット１１の前を横切るように水平に直線移動させ、分析前ラック保持部１２１から受け付けた検体ラックＬを分析後ラック保持部１２２へ搬送するラック搬送部１２３とを備えている。また、検体搬送ユニット１２のラック搬送部１２３の近傍には、ラックバーコードからラックＩＤを読み取るためのバーコード読取部１２ａが設けられている（図３参照）。このバーコード読取部１２ａは、測定ユニット１１の通信部１１９に接続されており、読み取られたラックＩＤは通信部１１９を通じて情報処理ユニット１３へ与えられる。サンプラモードにおいて、分析前ラック保持部１２１にセットされた検体ラックＬは、ラック搬送部１２３により移動され、ラック搬送部１２３上の検体ラックＬからラックバーコード読取部１２ａによりラックＩＤが読み取られる。読み取られたラックＩＤは、情報処理ユニット１３に与えられる。ラック搬送部１２３の所定位置にある検体容器Ｔが、検体容器取込部１１ａにより測定ユニット１１の内部に取り込まれ、検体の測定が行われる。検体が吸引された後の検体容器Ｔは、測定ユニット１１から排出され、検体ラックＬの元の位置に戻される。検体ラックＬに保持された全ての検体容器から検体が吸引されると、検体ラックＬは分析後ラック保持部１２１に移送される。
【００５４】
＜情報処理ユニットの構成＞
次に、情報処理ユニット１３の構成について説明する。情報処理ユニット１３は、コンピュータにより構成されている。図４は、情報処理ユニット１３の構成を示すブロック図である。図４に示すように、コンピュータ１３ａは、本体３１と、表示部１３２と、入力部１３３とを備えている。本体３１は、ＣＰＵ３１ａ、ＲＯＭ３１ｂ、ＲＡＭ３１ｃ、ハードディスク３１ｄ、読出装置３１ｅ、入出力インタフェース３１ｆ、通信インタフェース３１ｇ、及び画像出力インタフェース３１ｈを備えており、ＣＰＵ３１ａ、ＲＯＭ３１ｂ、ＲＡＭ３１ｃ、ハードディスク３１ｄ、読出装置３１ｅ、入出力インタフェース３１ｆ、通信インタフェース３１ｇ、及び画像出力インタフェース３１ｈは、バス３１ｊによって接続されている。
【００５５】
ＣＰＵ３１ａは、ＲＡＭ３１ｃにロードされたコンピュータプログラムを実行することが可能である。そして、後述するような検体分析用並びに測定ユニット１１及び検体搬送ユニット１２の制御用のコンピュータプログラム３４ａを当該ＣＰＵ３１ａが実行することにより、コンピュータ１３ａが情報処理ユニット１３として機能する。
【００５６】
ＲＯＭ３１ｂは、マスクＲＯＭ、ＰＲＯＭ、ＥＰＲＯＭ、又はＥＥＰＲＯＭ等によって構成されており、ＣＰＵ３１ａに実行されるコンピュータプログラム及びこれに用いるデータ等が記録されている。ＲＡＭ３１ｃは、ＳＲＡＭまたはＤＲＡＭ等によって構成されている。ＲＡＭ３１ｃは、ハードディスク３１ｄに記録されているコンピュータプログラム３４ａの読み出しに用いられる。また、ＣＰＵ３１ａがコンピュータプログラムを実行するときに、ＣＰＵ３１ａの作業領域として利用される。
【００５７】
ハードディスク３１ｄは、オペレーティングシステム及びアプリケーションプログラム等、ＣＰＵ３１ａに実行させるための種々のコンピュータプログラム及び当該コンピュータプログラムの実行に用いられるデータがインストールされている。後述するコンピュータプログラム３４ａも、このハードディスク３１ｄにインストールされている。
【００５８】
読出装置３１ｅは、フレキシブルディスクドライブ、ＣＤ−ＲＯＭドライブ、またはＤＶＤ−ＲＯＭドライブ等によって構成されており、可搬型記録媒体３４に記録されたコンピュータプログラムまたはデータを読み出すことができる。また、可搬型記録媒体３４には、コンピュータを情報処理ユニット１３として機能させるためのコンピュータプログラム３４ａが格納されており、コンピュータ１３ａが当該可搬型記録媒体３４からコンピュータプログラム３４ａを読み出し、当該コンピュータプログラム３４ａをハードディスク３１ｄにインストールすることが可能である。
【００５９】
また、ハードディスク３１ｄには、例えば米マイクロソフト社が製造販売するWindows（登録商標）等のマルチタスクオペレーティングシステムがインストールされている。以下の説明においては、本実施の形態に係るコンピュータプログラム３４ａは当該オペレーティングシステム上で動作するものとしている。
【００６０】
ハードディスク３１ｄには、試薬残量情報３４ｂ及び設定情報３４ｃが記憶されている。図５は、試薬残量情報３４ｂの構成を示す模式図である。試薬残量情報３４ｂとして、試薬の種類（希釈液、白血球分類用溶血剤、及び白血球分類用染色液）毎に、試薬の残量が記憶される。試薬の残量は、あと何回測定可能かを示す測定回数により表される。
【００６１】
後述するように、第１検体分析装置１が検体分析に使用され、第２検体分析装置２が検体分析に使用されず、予備用とされる場合に、第１検体分析装置１に特定の異常が発生したときには、第２検体分析装置２が自動的に起動される。つまり、第１検体分析装置１に特定の異常が発生した場合には、第２検体分析装置２が起動されるが、第１検体分析装置１に前記特定の異常以外の異常が発生した場合には、第２検体分析装置２は起動されない。ハードディスク３１ｄには、第２検体分析装置を起動する異常を規定するデータを格納する第１異常データベースＤＢ１及び第２異常データベースＤＢ２が設けられている。
【００６２】
図６は、第１異常データベースＤＢ１の構成を示す模式図であり、図７は、第２異常データベースＤＢ２の構成を示す模式図である。第１異常データベースＤＢ１は、第２検体分析装置２を起動する異常を規定するためのデータベースである。当該第１異常データベースＤＢ１には、復旧にサービスマンを呼ぶ必要のある異常を識別するための情報（エラーコード）が予め格納されている。例えば、レーザー出力異常及び漏水異常は、サービスマンを呼ぶ必要のある異常であり、これらのエラーコードが第１異常データベースＤＢ１に登録されている。第１検体分析装置１に異常が発生した場合、第１異常データベースＤＢ１が参照され、発生している異常のエラーコードが第１異常データベースＤＢ１に登録されているエラーコードと一致した場合には、第２検体分析装置２が自動的に起動される。これは、この種の異常が発生したときには、復旧に比較的時間を要することから、第２検体分析装置２が起動することで検体処理が滞ることを可及的に抑制するためである。第１異常データベースＤＢ１に登録されている異常は、ユーザによって設定変更することができない。
【００６３】
第２異常データベースＤＢ２は、ユーザによって設定変更が可能なデータベースである。当該第２異常データベースＤＢ２には、ユーザのみで復旧が可能な異常を識別するための情報（エラーコード）を格納するためのフィールドと、第２検体分析装置２の起動に使用するか否かを示す情報（使用設定値）を格納するためのフィールドとが設けられている。対応する異常が発生した場合に第２検体分析装置２を起動させる場合には、使用設定値は“１”に設定され、対応する異常が発生した場合に第２検体分析装置２を起動させない場合には、使用設定値は“０”に設定される。使用設定値は、ユーザによって設定変更が可能である。例えば、圧力異常、試薬残量なし、及び廃液満杯の異常は、ユーザのみで対応可能な異常でありl、これらのエラーコードが第２異常データベースＤＢ２に格納されている。また、図７に示す例では、“圧力異常”及び“試薬残量なし”に対しては、使用設定値が“１”に設定され、“廃液満杯”に対しては、使用設定値が“０”に設定されている。第１検体分析装置１に異常が発生した場合、第２異常データベースＤＢ２が参照され、発生している異常のエラーコードが第２異常データベースＤＢ２に登録されているエラーコードと一致し、且つ、その使用設定値が“１”であるときには、第２検体分析装置２が自動的に起動される。他方、第１検体分析装置１に発生している異常のエラーコードが第２異常データベースＤＢ２に登録されているエラーコードと一致し、且つ、その使用設定値が“０”であるときには、第２検体分析装置２は起動されない。この種の異常には、ユーザの施設により、復旧に比較的時間を要する異常と、復旧に比較的時間を要しない異常とがある。そこで、本実施の形態においては、第２異常データベースＤＢ２に登録されている異常毎に、第２検体分析装置２を起動させか否かをユーザが自由に設定可能としている。
【００６４】
入出力インタフェース３１ｆは、例えばUSB，IEEE1394，又はRS-232C等のシリアルインタフェース、SCSI，IDE，又は IEEE1284等のパラレルインタフェース、及びＤ／Ａ変換器、Ａ／Ｄ変換器等からなるアナログインタフェース等から構成されている。入出力インタフェース３１ｆには、キーボード及びマウスからなる入力部１３３が接続されており、オペレータが当該入力部１３３を使用することにより、コンピュータ１３ａにデータを入力することが可能である。また、入出力インタフェース３１ｆは、測定ユニット１１及び検体搬送ユニット１２に接続されている。これにより、情報処理ユニット１３は、測定ユニット１１及び検体搬送ユニット１２のそれぞれを制御可能となっている。
【００６５】
また、入出力インタフェース３１ｆは、無線通信ユニット１４に接続されている。情報処理ユニット１３は、この無線通信ユニット１４を通じて、第２検体分析装置２にデータの送受信が可能である。
【００６６】
通信インタフェース３１ｇは、Ethernet（登録商標）インタフェースである。通信インタフェース３１ｇはＬＡＮを介して図示しないホストコンピュータに接続されている。コンピュータ１３ａは、通信インタフェース３１ｇにより、所定の通信プロトコルを使用して当該ＬＡＮに接続されたホストコンピュータとの間でデータの送受信が可能である。
【００６７】
画像出力インタフェース３１ｈは、ＬＣＤまたはＣＲＴ等で構成された表示部１３２に接続されており、ＣＰＵ３１ａから与えられた画像データに応じた映像信号を表示部１３２に出力するようになっている。表示部１３２は、入力された映像信号にしたがって、画像（画面）を表示する。
【００６８】
＜第２検体分析装置の構成＞
以下、第２検体分析装置２の構成について説明する。
【００６９】
第２検体分析装置２は、第１検体分析装置１と同じく多項目血球分析装置である。したがって、第２検体分析装置２は、第１検体分析装置１と共通する測定項目について検体分析が可能である。即ち、第２検体分析装置２は、ＮＥＵＴ、ＬＹＭＰＨ、ＥＯ、ＢＡＳＯ、ＭＯＮＯ、及びＷＢＣの測定が可能な構成となっている。
【００７０】
第２検体分析装置２も、第１検体分析装置１と同じく、測定ユニット２１、検体搬送ユニット、及び情報処理ユニット２３を備えている。なお、第２検体分析装置２の測定ユニット２１及び検体搬送ユニットの構成は、第１検体分析装置１の測定ユニット１１及び検体搬送ユニット１２の構成と同様であるので、その説明を省略する。
【００７１】
図８は、第２検体分析装置２の情報処理ユニット２３の構成を示すブロック図である。情報処理ユニット２３は、コンピュータにより構成されている。図８に示すように、コンピュータ２３ａは、本体４１と、表示部２３２と、入力部２３３とを備えている。本体４１は、ＣＰＵ４１ａ、ＲＯＭ４１ｂ、ＲＡＭ４１ｃ、ハードディスク４１ｄ、読出装置４１ｅ、入出力インタフェース４１ｆ、通信インタフェース４１ｇ、及び画像出力インタフェース４１ｈを備えており、ＣＰＵ４１ａ、ＲＯＭ４１ｂ、ＲＡＭ４１ｃ、ハードディスク４１ｄ、読出装置４１ｅ、入出力インタフェース４１ｆ、通信インタフェース４１ｇ、及び画像出力インタフェース４１ｈは、バス４１ｊによって接続されている。
【００７２】
入出力インタフェース４１ｆは、例えばUSB，IEEE1394，又はRS-232C等のシリアルインタフェース、SCSI，IDE，又は IEEE1284等のパラレルインタフェース、及びＤ／Ａ変換器、Ａ／Ｄ変換器等からなるアナログインタフェース等から構成されている。入出力インタフェース４１ｆには、キーボード及びマウスからなる入力部２３３が接続されており、オペレータが当該入力部１３３を使用することにより、コンピュータ２３ａにデータを入力することが可能である。また、入出力インタフェース４１ｆは、測定ユニット２１及び検体搬送ユニット２２に接続されている。これにより、情報処理ユニット１３は、測定ユニット２１及び検体搬送ユニット２２のそれぞれを制御可能となっている。
【００７３】
また、入出力インタフェース４１ｆは、無線通信ユニット２４に接続されている。情報処理ユニット２３は、この無線通信ユニット２４を通じて、第１検体分析装置１との間でデータの送受信が可能である。無線通信ユニット２４は、所定の起動信号を受信することで、シャットダウン状態の第２検体分析装置２を起動することが可能である。ここで、シャットダウン状態とは、測定ユニット２１、検体搬送ユニット２２、及び情報処理ユニット２３には電力が供給されていないが、入出力インタフェース４１ｆ及び無線通信ユニット２４には電力が供給されている状態をいう。この状態では、無線通信ユニット２４は起動信号を受信することができ、無線通信ユニット２４が起動信号を受信した場合に、入出力インタフェース４１ｆを介して、自動的に情報処理ユニット２３が起動する。情報処理ユニット２３が起動すると、これに応じて測定ユニット２１及び検体搬送ユニット２２も起動し、第２検体分析装置２全体が起動することとなる。即ち、シャットダウン状態は、第２検体分析装置２が起動信号の受信を待機する待機状態でもある。そして、起動信号が送信されると、待機状態から稼働状態へ第２検体分析装置２の状態が変更される。
【００７４】
なお、情報処理ユニット２３のその他の構成は、情報処理ユニット１３の構成と同様であるので、その説明を省略する。
【００７５】
［検体分析システムの動作］
次に、本実施の形態に係る検体分析システム１００の動作について説明する。以下では、第１検体分析装置１を主に使用する検体分析装置（以下、「メイン機」という。）とし、第２検体分析装置２を予備の検体分析装置（以下、「サブ機」という。）とする場合について説明する。
【００７６】
第１検体分析装置１により検体分析が行われる場合、第１検体分析装置１は動作モードが設定される。動作モードには、サンプラモードとマニュアルモードとがあり、オペレータが情報処理ユニット１３の入力部１３３を操作することで設定される。
【００７７】
サンプラモードが設定されている場合には、検体容器Ｔを保持した検体ラックＬがオペレータによって検体搬送ユニット１２の分析前ラック保持部１２１に載置される。分析前ラック保持部１２１に載置された検体ラックＬは、検体搬送ユニット１２によって自動搬送され、ラック搬送部１２３上を移送される。この途中で、バーコード読取部１２ａによって検体ラックＬのラックバーコードからラックＩＤが読み取られ、その時点において検体分析を行っている検体容器が保持された検体ラックＬのラックＩＤとして、情報処理ユニット１３のＲＡＭ３１ｃに格納される。
【００７８】
ラック搬送部１２３にある検体ラックＬからは、検体容器取込部１１ａにより測定ユニット１１の内部に取り込まれる。このとき、検体容器Ｔが取り出された検体ラックＬの保持位置の情報が、その時点において検体分析を行っている検体容器が保持された保持位置として、情報処理ユニット１３のＲＡＭ３１ｃに格納される。つまり、その時点において検体分析の対象である検体についてのラックＩＤ及び保持位置の情報が、ＲＡＭ３１ｃに記憶される。測定ユニット１１の内部では、バーコード読取部１１ｃが検体容器Ｔの検体バーコードから検体ＩＤを読み取る。情報処理ユニット１３のＣＰＵ３１ａは、ハードディスク３１ｄに予め登録されているジョブリスト又は通信ネットワークを介して接続されたホストコンピュータから当該検体ＩＤに対応するオーダ情報を取得する。
【００７９】
オーダ情報が取得されると、検体容器Ｔから検体が吸引され、このオーダ情報において指定されている項目の検体測定が測定ユニット１１によって行われる。検体の吸引が完了した検体容器Ｔは、測定ユニット１１から排出され、検体ラックＬの元の保持位置に戻される。検体測定においては、試薬と検体とが混合されて測定試料が調整され、測定試料が光学的又は電気的に測定される。測定によって得られた測定データ（生データ）は、情報処理ユニット１３に与えられ、情報処理ユニット１３のＣＰＵ３１ａが解析処理を行い、分析結果が得られる。得られた分析結果は、表示部１３２に表示される。
【００８０】
上記のような検体測定が、検体ラックＬの全ての検体容器Ｔについて行われる。検体ラックＬに最後の検体容器Ｔが戻された後は、検体ラックＬがラック搬送部１２３から分析後ラック保持部１２２に移送される。このような動作が、分析前ラック保持部１２１に載置されている全ての検体ラックＬについて行われる。
【００８１】
マニュアルモードが設定されている場合には、オペレータが検体容器Ｔの取込を指示する取込ボタン（測定ユニット１１の前面に設けられたボタンスイッチ）を押下する。これにより、検体容器取込部１１ａが取込口から前方へ移動する。オペレータは検体容器Ｔを設置部１１ｂに設置し、測定ユニット１１の前面に設けられた測定開始スイッチをオンする。これにより、検体容器Ｔが測定ユニット１１の内部に取り込まれる。
【００８２】
検体容器Ｔが測定ユニット１１の内部に取り込まれると、サンプルモードのときと同様に、検体ＩＤの読み取り、オーダ情報の取得、検体の吸引、検体の測定が行われる。検体が吸引された検体容器Ｔは、検体容器取込部１１ａが取込口から前方へ移動することで、測定ユニット１１の外部に排出される。オペレータは、検体容器取込部１１ａから検体容器Ｔを取り外し、次に測定する検体を収容した検体容器Ｔを検体容器取込部１１ａに設置し、測定開始スイッチをオンする。これにより次の検体容器Ｔが測定ユニット１１の内部に取り込まれ、検体測定が行われる。
【００８３】
第１検体分析装置１の情報処理ユニット１３は、第１検体分析装置１の異常発生を監視する。図９は、このときの第１検体分析装置１の情報処理ユニット１３の動作の手順を示すフローチャートである。第１検体分析装置１の異常発生の監視は、電流計１１２，漏水センサ１１３，圧力センサ１１４，液量センサ１１８の出力信号をＣＰＵ３１ａが監視することにより行われる。ＣＰＵ３１ａは、エラーが検出されたか否かを判別し（ステップＳ１０１）、エラーが検出されない場合には（ステップＳ１０１においてＮＯ）、ステップＳ１０１の処理を再度実行する。
【００８４】
他方、ステップＳ１０１においてエラーが検出された場合には（ステップＳ１０１においてＹＥＳ）、ＣＰＵ３１ａは、第１異常データベースＤＢ１及び第２異常データベースＤＢ２を参照し、検出された異常がサブ機である第２検体分析装置２を起動する異常であるか否かを判別する（ステップＳ１０２）。検出された異常がサブ機起動用の異常でない場合には（ステップＳ１０２においてＮＯ）、ＣＰＵ３１ａは、処理を終了する。
【００８５】
検出された異常がサブ機起動用の異常に該当する場合には（ステップＳ１０２においてＹＥＳ）、ＣＰＵ３１ａは、サブ機を起動するための起動信号を無線通信ユニット１４に送信させる（ステップＳ１０３）。その後、ＣＰＵ３１ａは、サブ機である第２検体分析装置２に対して、起動したことを確認するための起動確認データを無線通信ユニット１４に送信させる（ステップＳ１０４）。起動確認データの送信後、ＣＰＵ３１ａは第２検体分析装置２から応答データを受信したか否かを判別し（ステップＳ１０５）、応答データを受信しない場合には（ステップＳ１０５においてＮＯ）、起動信号を送信してから所定時間が経過したか否かを判別する（ステップＳ１０６）。ステップＳ１０６において、起動信号を送信してから所定時間が経過していない場合には（ステップＳ１０６においてＮＯ）、ＣＰＵ３１ａは、ステップＳ１０４に処理を戻し、再度起動確認データを無線通信ユニット１４に送信させる。
【００８６】
ここで、サブ機である第２検体分析装置２の動作を説明する。図１０は、第２検体分析装置２の情報処理ユニット２３の動作の手順を示すフローチャートである。無線通信ユニット２４が起動信号を受信すると（ステップＳ２０１）、入出力インタフェース４１ｆを介して、ＣＰＵ４１ａにより起動処理が実行される（ステップＳ２０２）。この起動処理により、測定ユニット２１、検体搬送ユニット２２、及び情報処理ユニット２３が起動する。起動処理が終了すると、無線通信ユニット２４により起動確認データが受信され、ＣＰＵ４１ａに与えられる（ステップＳ２０３）。起動確認データを受信すると、ＣＰＵ４１ａは、起動確認データに対するＡＣＫ信号である応答データを無線通信ユニット２４に送信させる（ステップＳ２０４）。
【００８７】
メイン機である第１検体分析装置１の動作の説明に戻る。サブ機から応答データを無線通信ユニット２４が受信した場合には、この応答データがＣＰＵ３１ａに与えられる（ステップＳ１０５においてＹＥＳ）。この場合、ＣＰＵ３１ａは、サブ機の設定に使用される設定情報を、無線通信ユニット１４に送信させる（ステップＳ１０８）。
【００８８】
設定情報には、モード設定を指示する設定情報と、オーダ登録を指示する設定情報とが含まれる場合と、モード設定を指示する設定情報のみが含まれる場合とがある。図１１は、設定情報を説明するための図である。モード設定を指示する設定情報（以下、「モード設定情報」という。）は、モード設定指示識別子“ＳＵ”から始まる。このモード設定指示識別子の後に、データの区切りを示す符号“￥”が続き、さらにモード情報が続く。モード情報は、サブ機に設定するモードを示す情報であり、サンプラモードの場合には“Ｓａｍｐｌｅｒ”、マニュアルモードの場合には“Ｍａｎｕａｌ”である。
【００８９】
モード設定情報がサブ機にサンプラモードの設定を指示する情報である場合、設定情報には、オーダ登録を指示する設定情報（以下、「オーダ登録情報」という。）が含まれる。このオーダ登録情報は、オーダ登録指示識別子“ＪＲ”から始まる。このオーダ登録指示識別子の後に、データ区切り符号“￥”が続き、さらにラックＩＤ、検体容器の位置、検体ＩＤ、患者ＩＤ、測定項目及びそのオーダ有無の各情報が続く。各情報の間には、データ区切り符号“￥”が挿入される。図１１に示すオーダ登録情報の例では、ラックＩＤが“１０００１”、検体容器の位置が“０１”、検体ＩＤが“２０１１１１２４  １０１  Ｓａｍｐｌｅｒ００１”、患者ＩＤが“Ｐａｔｉｅｎｔ  ＩＤ０００００１”測定項目が“ＷＢＣ”、そのオーダ有無が“１”、次の測定項目が“ＨＧＢ”、そのオーダ有無が“１”、次の測定項目が“ＨＣＴ”、そのオーダ有無が“０”…となっている。
【００９０】
上記のオーダ登録情報は、エラーが発生した時点において（つまり、ステップＳ１０８を実行する時点において）、ラック搬送部１２３上にある検体ラックＬに保持された全検体についてのオーダ情報が含まれる。つまり、上述したように、サンプラモードにおいて第１検体分析装置１が動作している場合、情報処理ユニット１３のＲＡＭ３１ｃには、その時点においてラック搬送部１２３上にある検体ラックＬのラックＩＤが記憶されている。このようなサンプラモードが設定されている状態で第１検体分析装置１にエラーが発生したとき、ＣＰＵ３１ａは、サブ機にサンプラモードの設定を指示するモード設定情報と、その時点において検体測定の途中であった検体ラックＬのオーダ情報を含むオーダ登録情報とを有する設定情報を生成する。さらに詳しくは、ＣＰＵ３１ａが、その時点においてＲＡＭ３１ｃに記憶されているラックＩＤをキーとして、情報処理ユニット１３のハードディスク３１ｄからこのラックＩＤを含むオーダ情報を読み出し、このオーダ情報に含まれる検体ＩＤ、患者ＩＤ、及び測定が指定された測定項目から、上記のオーダ登録情報を生成する。
【００９１】
他方、第１検体分析装置１がマニュアルモードに設定されている状態でエラーが発生した場合には、ＣＰＵ３１ａは、サブ機にマニュアルモードの設定を指示するモード設定情報のみを含む設定情報を生成する。
【００９２】
このようにして生成された設定情報が無線通信ユニット１４により送信された後、ＣＰＵ３１ａは、サブ機の起動が完了したことをオペレータに通知するためのサブ機起動通知画面を表示部１３２に表示させ（ステップＳ１０９）、処理を終了する。
【００９３】
他方、サブ機から応答データを受信しないまま、起動信号送信から所定時間が経過した場合には（ステップＳ１０６においてＮＯ）、ＣＰＵ３１ａは、サブ機の起動が失敗したことを通知するための起動エラー情報を表示部１３２に表示させ（ステップＳ１０７）、処理を終了する。オペレータは、起動エラー情報を確認することで、第２検体分析装置２の近くまで移動して確認することなく、サブ機である第２検体分析装置２の起動が失敗したことを知ることができる。
【００９４】
サブ機である第２検体分析装置２の動作説明に戻る。起動確認データに対する応答データを無線通信ユニット２４に送信させた後、第１検体分析装置１から設定情報が送信される。無線通信ユニット２４により設定情報は受信され、ＣＰＵ４１ａに与えられる（ステップＳ２０５）。ＣＰＵ４１ａは、設定情報においてサンプラモード及びマニュアルモードの何れの動作モードの設定が指示されているかを判別する（ステップＳ２０６）。サンプラモードの設定が指示されている場合（ステップＳ２０６において「サンプラモード」）、ＣＰＵ４１ａは、動作モードをサンプラモードに設定する（ステップＳ２０７）。またこの場合、ＣＰＵ４１ａは設定情報にオーダ登録指示情報が含まれているか否かを判別し（ステップＳ２０８）、設定情報にオーダ登録指示情報が含まれている場合には（ステップＳ２０８においてＹＥＳ）、オーダ登録指示情報にしたがって、ハードディスク４１ｄにオーダ情報を登録し（ステップＳ２０９）、処理を終了する。設定情報にオーダ登録指示情報が含まれていなければ（ステップＳ２０８においてＮＯ）、ＣＰＵ４１ａは、そのまま処理を終了する。
【００９５】
他方、設定情報においてマニュアルモードの設定が指示されている場合には（ステップＳ２０６において「マニュアルモード」）、ＣＰＵ４１ａは、動作モードをマニュアルモードに設定し（ステップＳ２１０）、処理を終了する。
【００９６】
ここで、サブ機起動通知画面について説明する。ステップＳ１０９においては、エラーが発生した時点における第１検体分析装置１の動作設定状態に応じて、表示される情報が変化する。図１２は、サブ機起動通知画面の一例を示す図である。第１検体分析装置１にエラーが発生した時点において、サンプラモードが設定されており、検体搬送ユニット１２により検体ラックＬが自動搬送されている場合には、ラック搬送部１２３上にある検体ラックＬを、サブ機に移動させる旨を通知する情報が表示される。当該サブ機起動通知画面Ｄ１では、ラック搬送部１２３上にある検体ラックＬのラックＩＤが示され、当該検体ラックＬをサブ機に移動すべきことを通知するメッセージが示される。また、サブ機起動通知画面Ｄ１では、まだ測定に供されていない検体ラックＬ、即ち、分析前ラック保持部１２１に保持されている検体ラックＬをサブ機に移動すべきことを通知するメッセージが示される。さらに、これらのメッセージと共に、メイン機からサブ機へ検体ラックＬを移動することを示すイラストであるグラフィック情報Ｇ１が表示される。このサブ機起動通知画面Ｄ１は、ＲＡＭ３１ｃに記憶されているラックＩＤを用いて作成される。かかるサブ機起動通知画面Ｄ１には、ボタンコントロールであるＯＫボタンＣ１が表示され、オペレータがマウスのクリック操作等でＯＫボタンＣ１を選択すると、サブ機起動通知画面Ｄ１が閉じられる。
【００９７】
これ以外にも、マニュアルモードで動作している第１検体分析装置１にエラーが発生した場合には、サブ機が起動したことを示すメッセージを含むサブ機起動通知画面が表示される。
【００９８】
こうしてサブ機である第２検体分析装置２が起動されると、オペレータは第２検体分析装置２を使用して検体分析を継続する。また、第２検体分析装置２において検体分析を行っている間、オペレータ又はサービスマンが、第１検体分析装置の復旧作業を行うことができる。
【００９９】
第１検体分析装置１が復旧した後には、再び第１検体分析装置１によって検体分析を行うことが可能である。この場合、予備用である第２検体分析装置２を再度シャットダウン状態とすることが行われることがある。本実施の形態に係る検体分析システム１００では、このような場合に第１検体分析装置１から、第２検体分析装置２を遠隔でシャットダウンすることが可能である。以下、この遠隔シャットダウン動作について説明する。
【０１００】
図１３は、遠隔シャットダウン動作における第１検体分析装置１の情報処理ユニット１３の動作の手順を示すフローチャートであり、図１４は、遠隔シャットダウン動作における第２検体分析装置２の情報処理ユニット２３の動作の手順を示すフローチャートである。情報処理ユニット１３では、サブ機のシャットダウンを遠隔指示するための画面を表示することが可能である。この画面において、オペレータは、サブ機のシャットダウンを指示することができる。第１検体分析装置１の復旧作業が終了した後、オペレータは、情報処理ユニット１３の入力部１３３を操作して、サブ機の遠隔シャットダウンを指示する。ＣＰＵ３１ａは、サブ機のシャットダウン指示を受け付けたか否かを判別し（ステップＳ３０１）、サブ機のシャットダウン指示を受け付けた場合には（ステップＳ３０１においてＹＥＳ）、シャットダウンを指示するシャットダウン指示データを無線通信ユニット１４に送信させ（ステップＳ３０２）、処理を終了する。他方、サブ機のシャットダウン指示を受け付けなかった場合には（ステップＳ３０１においてＮＯ）、ＣＰＵ４１ａは、そのまま処理を終了する。
【０１０１】
サブ機である第２検体分析装置２のＣＰＵ４１ａは、無線通信ユニット２４によってシャットダウン指示データが受信されたか否かを判別する（ステップＳ４０１）。無線通信ユニット２４によってシャットダウン指示データが受信されない場合には（ステップＳ４０１においてＮＯ）、ＣＰＵ４１ａは再度ステップＳ４０１の処理を実行する。これを繰り返すことで、ＣＰＵ４１ａはシャットダウン指示データの受信を待機する。
【０１０２】
シャットダウン指示データが無線通信ユニット２４により受信されると、当該シャットダウン指示データがＣＰＵ４１ａに与えられる。この場合（ステップＳ４０１においてＹＥＳ）、ＣＰＵ４１ａは、第２検体分析装置２のシャットダウン処理を実行し（ステップＳ４０２）、処理を終了する。
【０１０３】
以上の如き構成とすることにより、メイン機である第１検体分析装置に特定の異常というトラブルが発生した場合に、自動的にサブ機である第２検体分析装置が起動されるので、従来に比して迅速に第２検体分析装置を起動することが可能となる。また、オペレータが、第１検体分析装置に異常が発生したことに気付かない、又は復旧に時間がかかる異常であるかどうかの判断に時間を要するような場合にも、第２検体分析装置が自動的に起動され、検体処理が滞ることを抑制することができる。
【０１０４】
また、第１検体分析装置１が、エラー発生の時点における動作設定に基づいて設定情報を送信し、第２検体分析装置２が受信した設定情報にしたがって第２検体分析装置２の動作設定を行うため、起動した後の第２検体分析装置を、その時点において好ましい状態に設定することが可能となる。例えば、第１検体分析装置１がサンプラモードで動作している場合に、設定情報において第２検体分析装置の動作モードをサンプラモードに設定するように指示され、第１検体分析装置１がマニュアルモードで動作している場合に、設定情報において第２検体分析装置の動作モードをマニュアルモードに設定するように指示される。このため、オペレータは、エラー発生前の第１検体分析装置１と同様に、第２検体分析装置２を使用することが可能となる。
【０１０５】
また、第１検体分析装置１がサンプラモードで動作している場合に、ラック搬送部１２３に搬送途中の検体ラックＬに保持されている検体のオーダ情報が設定情報によって第２検体分析装置２に送信され、第２検体分析装置２が、受信した設定情報にしたがってオーダを登録する。これにより、オペレータは、第１検体分析装置１のラック搬送部１２３上にある検体ラックＬを第２検体分析装置２に移動すれば、第２検体分析装置２にオーダ情報を登録することなく、搬送途中であった検体ラックＬの検体の分析を行うことができる。
【０１０６】
また、第１検体分析装置１の表示部１３２に、サブ機起動通知画面が表示されるので、オペレータはこの画面を確認すれば、どの検体ラックＬを第２検体分析装置２に移動させればよいかを容易に確認することができる。
【０１０７】
（実施の形態２）
［検体分析システムの構成］
図１５は、本実施の形態に係る検体分析システムの全体構成を示す模式図である。本実施の形態に係る検体分析システム２００は、第１検体分析装置１と、第２検体分析装置２と、検査情報管理装置５とを備えている。第１検体分析装置１は、無線通信ユニット１４を備えており、第２検体分析装置２は、無線通信ユニット２４を備えている。なお、第１検体分析装置１、第２検体分析装置２、無線通信ユニット１４，２４の構成は、実施の形態１における構成と同様であるので、その説明を省略する。
【０１０８】
検査情報管理装置５は、第１検体分析装置１及び第２検体分析装置の検査情報（オーダ情報及び検体分析結果等）を管理するための装置である。図１６は、検査情報管理装置５の構成を示すブロック図である。検査情報管理装置５は、コンピュータにより構成されている。図１６に示すように、コンピュータ５ａは、本体５１と、表示部５２と、入力部５３とを備えている。本体５１は、ＣＰＵ５１ａ、ＲＯＭ５１ｂ、ＲＡＭ５１ｃ、ハードディスク５１ｄ、読出装置５１ｅ、入出力インタフェース５１ｆ、通信インタフェース５１ｇ、及び画像出力インタフェース５１ｈを備えており、ＣＰＵ５１ａ、ＲＯＭ５１ｂ、ＲＡＭ５１ｃ、ハードディスク５１ｄ、読出装置５１ｅ、入出力インタフェース５１ｆ、通信インタフェース５１ｇ、及び画像出力インタフェース５１ｈは、バス５１ｊによって接続されている。
【０１０９】
通信インタフェース５１ｇは、Ethernet（登録商標）インタフェースである。通信インタフェース５１ｇはＬＡＮを介して第１検体分析装置１及び第２検体分析装置２に接続されている。コンピュータ５ａは、通信インタフェース５１ｇにより、所定の通信プロトコルを使用して当該ＬＡＮに接続された第１検体分析装置１及び第２検体分析装置２との間でデータの送受信が可能である。
【０１１０】
ハードディスク５１ｄには、オーダ情報データベースＤＢ３と、分析結果データベースＤＢ４が設けられている。オーダ情報データベースＤＢ３には、オペレータから入力されたオーダ情報が登録される。また、分析結果データベースＤＢ４には、第１検体分析装置１及び第２検体分析装置２の分析結果が格納される。
【０１１１】
なお、検査情報管理装置５のその他の構成は、実施の形態１において説明した情報処理ユニット１３の構成と同様であるので、その説明を省略する。
【０１１２】
［検体分析システムの動作］
検査情報管理装置５は、オペレータからの入力によりオーダ情報を登録することができる。第１検体分析装置１又は第２検体分析装置２は検体容器Ｔから検体ＩＤを読み取ると、検査情報管理装置５に当該検体ＩＤをキーとしてオーダ問合せを行う。検査情報管理装置５は、このオーダ問合せに対して、検体ＩＤが一致するオーダ情報をオーダ情報データベースＤＢ３検索し、検索されたオーダ情報を問合せ元の検体分析装置へ送信する。このようにして、オーダ情報が検体分析装置に与えられる。
【０１１３】
第１検体分析装置１又は第２検体分析装置２は、取得したオーダ情報にしたがって、検体分析を行い、検体分析結果を検査情報管理装置５へ送信する。検査情報管理装置５は、検体分析結果を受信すると、受信した検体分析結果を分析結果データベースＤＢ４に登録する。
【０１１４】
以下では、第１検体分析装置１をメイン機とし、第２検体分析装置２をサブ機とする場合について説明する。
【０１１５】
図１７は、本実施の形態に係る検査情報管理装置５の動作の手順を示すフローチャートである。この場合、検査情報管理装置５からは、メイン機である第１検体分析装置１に対してのみオーダ情報が送信される。そこで、検査情報管理装置５のＣＰＵ５１ａは、オーダ情報データベースＤＢ３に登録されているオーダ情報の数（以下、「オーダ登録数」という。）を算出し、オーダ登録数が所定の基準値以上であるか否かを判別する（ステップＳ５０１）。オーダ登録数が基準値以上である場合には（ステップＳ５０１においてＹＥＳ）、ＣＰＵ５１ａは、オーダ登録数を示すオーダ数通知データをメイン機である第１検体分析装置１へ送信し（ステップＳ５０２）、処理を終了する。他方、オーダ登録数が基準値未満の場合には（ステップＳ５０１においてＮＯ）、ＣＰＵ５１ａは、そのまま処理を終了する。
【０１１６】
図１８は、本実施の形態に係る第１検体分析装置１の情報処理ユニット１３の動作の手順を示すフローチャートである。メイン機である第１検体分析装置１のＣＰＵ３１ａは、検査情報管理装置から送信されたオーダ数通知データを受信したか否かを判別する（ステップＳ６０１）。情報処理ユニット１３がオーダ数通知データを受信しない場合には（ステップＳ６０１においてＮＯ）、ＣＰＵ３１ａは再度ステップＳ６０１の処理を実行する。これを繰り返すことで、ＣＰＵ３１ａは、オーダ数通知データの受信を待機する。
【０１１７】
オーダ数通知データが情報処理ユニット１３により受信されると、当該オーダ数通知データがＣＰＵ３１ａに与えられる。この場合（ステップＳ６０１においてＹＥＳ）、ＣＰＵ３１ａは、試薬残量情報３４ｂを参照して、試薬の残量がオーダ登録数の検体分析に対して不足するか否かを判別する（ステップＳ６０２）。試薬残量が不足すると判別されなかった場合には（ステップＳ６０２においてＮＯ）、ＣＰＵ３１ａは、そのまま処理を終了する。
【０１１８】
他方、試薬残量が不足すると判断された場合には（ステップＳ６０２においてＹＥＳ）、第１検体分析装置１だけではオーダ登録数が過大であると判断できるため、ＣＰＵ３１ａは、サブ機を起動するための起動信号を無線通信ユニット１４に送信させる（ステップＳ６０３）。
【０１１９】
なお、ステップＳ６０４〜Ｓ６０９の処理は、実施の形態１で説明したステップＳ１０４〜Ｓ１０９の処理と同様であるので、その説明を省略する。ここで、ステップＳ６０９において表示されるサブ機起動通知画面では、移動する検体ラックＬのラックＩＤは表示されず、サブ機が起動完了したこと、及びサブ機に未測定の検体を保持した検体ラックＬを移動することを示すメッセージ等が表示される。
【０１２０】
また、本実施の形態に係る第２検体分析装置２の動作は、実施の形態１に係る第２検体分析装置２の動作と同様であるので、その説明を省略する。
【０１２１】
以上の如き構成とすることにより、メイン機である第１検体分析装置１の処理能力ではオーダ登録数が過大である場合には、サブ機である第２検体分析装置２が自動的に起動されるため、効率的にサブ機が起動され、検体分析システム２００全体の検体処理能力を迅速に増大させることができる。
【０１２２】
（実施の形態３）
本実施の形態に係る第２検体分析装置２は、シャットダウン状態において通信インタフェース４１ｇには電力が供給されている。この状態では、通信インタフェース４１ｇは起動信号を受信することができ、通信インタフェース４１ｇが起動信号を受信した場合に、情報処理ユニット２３の電源を投入することができる。これによって、自動的に情報処理ユニット２３が起動する。情報処理ユニット２３が起動すると、これに応じて測定ユニット２１及び検体搬送ユニット２２も起動し、第２検体分析装置２全体が起動することとなる。本実施の形態に係る検体分析システムのその他の構成は、実施の形態２に係る検体分析システム２００の構成と同様であるので、同一構成要素については同一符号を付し、その説明を省略する。
【０１２３】
図１９は、本実施の形態に係る検査情報管理装置５の動作の手順を示すフローチャートである。この場合、検査情報管理装置５からは、メイン機である第１検体分析装置１に対してのみオーダ情報が送信される。そこで、検査情報管理装置５のＣＰＵ５１ａは、オーダ情報データベースＤＢ３のオーダ登録数を算出し、オーダ登録数が所定の基準値以上であるか否かを判別する（ステップＳ７０１）。オーダ登録数が基準値未満の場合には（ステップＳ７０１においてＮＯ）、ＣＰＵ５１ａは、そのまま処理を終了する。他方、オーダ登録数が基準値以上である場合には（ステップＳ７０１においてＹＥＳ）、ＣＰＵ５１ａは、サブ機を起動するための起動信号を通信インタフェース５１ｇに送信させる（ステップＳ７０２）。
【０１２４】
なお、ステップＳ７０３〜Ｓ７０８の処理は、検査情報管理装置５のＣＰＵ５１ａによって実行される処理であるが、実施の形態１で説明したステップＳ１０４〜Ｓ１０９の処理と概ね同様であるので、その詳細な説明を省略する。ここで、ステップＳ７０３においては、起動確認データが通信インタフェース５１ｇによって送信され、ステップＳ７０５においては、応答データが通信インタフェース５１ｇによって受信される。また、ステップＳ７０７においては、ＣＰＵ５１ａは所定の設定情報を通信インタフェース５１ｇに送信させる。さらに、ステップＳ７０８においては、サブ機起動通知画面が検査情報管理装置５の表示部５２に表示され、ステップＳ７０６においては、起動エラー情報が表示部５２に表示される。ステップＳ７０８において表示されるサブ機起動通知画面では、移動する検体ラックＬのラックＩＤは表示されず、サブ機が起動完了したこと、及びサブ機に未測定の検体を保持した検体ラックＬを移動することを示すメッセージ等が表示される。
【０１２５】
また、本実施の形態に係る第２検体分析装置２の動作は、実施の形態１に係る第２検体分析装置２の動作と概ね同様であるので、その詳細な説明を省略する。ここで、ステップＳ２０１においては、起動信号が通信インタフェース４１ｇによって受信され、ステップＳ２０３においては、起動確認データが通信インタフェース４１ｇによって受信され、ステップＳ２０４においては、応答データが通信インタフェース４１ｇによって送信され、ステップ２０５においては、設定情報が通信インタフェース４１ｇによって受信される。
【０１２６】
以上の如き構成とすることにより、メイン機である第１検体分析装置１の処理能力ではオーダ登録数が過大である場合、即ち、メイン機である第１検体分析装置１だけでは検体処理能力が不足するというトラブルが発生した場合には、サブ機である第２検体分析装置２が自動的に起動されるため、効率的にサブ機が起動され、検体分析システム２００全体の検体処理能力を迅速に増大させることができる。
【０１２７】
（実施の形態４）
本実施の形態に係る検体分析システムの構成は、実施の形態１に係る検体分析システム１００の構成と同様であるので、同一構成要素については同一符号を付し、その説明を省略する。
【０１２８】
本実施の形態では、１日を０時〜１２時と、１２時〜２４時の２つの期間に分割し、一方の期間では第１検体分析装置１によって検体分析を行い、他方の期間では第２検体分析装置２によって検体分析を行う。
【０１２９】
図２０は、本実施の形態に係る第１検体分析装置１の情報処理ユニット１３の動作の手順を示すフローチャートである。第１検体分析装置１によって検体分析を行っている場合、オペレータは第２検体分析装置２への切替時刻に到達したかを確認し、切替時刻に到達すると、入力部１３３を操作して、第１検体分析装置１のシャットダウン指示を情報処理ユニット１３に与える。ＣＰＵ３１ａは、シャットダウン指示を受け付けたか否かを判別する（ステップＳ８０１）。シャットダウン指示を受け付けていない場合には（ステップＳ８０１においてＮＯ）、ＣＰＵ３１ａは再度ステップＳ３０１の処理を実行する。これを繰り返すことで、ＣＰＵ３１ａは、シャットダウンの指示を待機する。
【０１３０】
シャットダウンの指示を受け付けた場合（ステップＳ８０１においてＹＥＳ）、ＣＰＵ３１ａは、サブ機の起動を確認するためのサブ機起動確認画面を表示部１３２に表示させる（ステップＳ８０２）。図２１は、サブ機起動確認画面を示す図である。図２１に示すように、サブ機起動確認画面Ｄ２には、“サブ機を起動しますか”の文字列が含まれる。また、このサブ機起動確認画面Ｄ２には、サブ機の起動を指示するためのボタンＣ２１と、サブ機の起動を指示しないためのボタンＣ２２とが設けられている。オペレータは、マウスのクリック操作により、ボタンＣ２１及びＣ２２の何れかを選択することができる。
【０１３１】
サブ機起動確認画面Ｄ２を表示させた後、ＣＰＵ３１ａは、サブ機起動の指示を受け付けたか否かを判別する（ステップＳ８０３）。オペレータがボタンＣ２２を選択し、ＣＰＵ３１ａがサブ機起動の指示を受け付けなかった場合には（ステップＳ８０３においてＮＯ）、ＣＰＵ３１ａは、そのまま処理を終了する。他方、オペレータがボタンＣ２１を選択し、ＣＰＵ３１ａがサブ機起動の指示を受け付けた場合には（ステップＳ８０３においてＹＥＳ）、ＣＰＵ３１ａは、サブ機を起動するための起動信号を無線通信ユニット１４に送信させる（ステップＳ８０４）。
【０１３２】
なお、ステップＳ８０４〜Ｓ８１０の処理は、実施の形態１で説明したステップＳ１０４〜Ｓ１０９の処理と同様であるので、その説明を省略する。
【０１３３】
ステップＳ８１０において、サブ機起動通知画面を表示した後、ＣＰＵ３１ａは、第１検体分析装置１のシャットダウン処理を実行し（ステップＳ８１１）、処理を終了する。
【０１３４】
また、本実施の形態に係る第２検体分析装置２の動作は、実施の形態１に係る第２検体分析装置２の動作と同様であるので、その説明を省略する。
【０１３５】
以上の如き構成とすることにより、メイン機である第１検体分析装置１の使用から、サブ機である第２検体分析装置２の使用へ切り替える場合に、オペレータが第１検体分析装置１のシャットダウンを指示し、第２検体分析装置の起動を指示すれば、第２検体分析装置２が自動的に起動されるため、効率的に第２検体分析装置２が起動され、切替作業を効率的に行うことが可能となる。
【０１３６】
（その他の実施の形態）
なお、上述した実施の形態１においては、サンプラモードで動作している第１検体分析装置１にエラーが発生した場合には、第２検体分析装置２をサンプラモードに設定し、マニュアルモードで動作している第１検体分析装置１にエラーが発生した場合には、第２検体分析装置２をマニュアルモードに設定する構成について述べたが、これに限定されるものではない。サンプラモードで動作している第１検体分析装置１にエラーが発生した場合に、マニュアルモードの設定指示情報を含む設定情報を第２検体分析装置２に送信し、第２検体分析装置２をマニュアルモードに設定する構成とすることもできる。第１検体分析装置１がサンプラモードで動作している場合には、検体ラックＬに保持されている検体容器から検体が自動吸引されるが、この場合において検体が吸引された後、検体測定が完了する前にエラーが発生し、検体測定が完了しなかったときには、検体容器Ｔにはオーダ情報で指定されている全ての項目について検体測定を行うことができるだけの検体が残っていないことがある。このような場合には、マニュアルでオーダ情報を再登録し、マニュアル測定を行う必要があるため、第２検体分析装置２がマニュアルモードに設定されていれば、かかる検体を効率的に測定することが可能となる。
【０１３７】
また、上述した実施の形態１においては、第２異常データベースＤＢ２において、第２検体分析装置２の起動に使用するか否かを異常毎にユーザ設定可能な構成としたが、これに限定されるものではない。例えば、第１異常データベースＤＢ１に登録されている異常が発生した場合には第２検体分析装置２を起動し、第２異常データベースＤＢ２に登録されている異常が発生した場合には第２検体分析装置２を起動しないこととし、第２異常データベースＤＢ２をユーザによって設定変更することができない構成とすることもできる。
【０１３８】
また、上述した実施の形態１〜４においては、第１検体分析装置１が１つの測定ユニット１１を備える構成について述べたが、これに限定されるものではない。２以上の測定ユニットと１つの情報処理ユニットとによって検体分析装置が構成されていてもよい。測定ユニットと情報処理ユニットとが別々に設けられている構成でなくてもよく、測定ユニットに相当する機能と情報処理ユニットに相当する機能とを１つの筐体内に備える検体分析装置であってもよい。第２検体分析装置２についても同様である。
【０１３９】
また、上述した実施の形態１〜４においては、測定ユニット１１にはＣＰＵ等の演算部を設けず、情報処理ユニット１３のＣＰＵ３１ａによって測定ユニット１１の動作制御を行う構成について述べたが、これに限定されるものではない。測定ユニットにＣＰＵ及びメモリ等からなる制御部を設け、この制御部によって測定機構の動作制御を行う構成としてもよい。第２検体分析装置２についても同様である。
【０１４０】
また、上述した実施の形態１〜４においては、第１検体分析装置１が無線通信ユニット１４により起動信号を送信し、無線通信ユニット２４により起動信号が受信されると、第２検体分析装置２が起動する構成について述べたが、これに限定されるものではない。有線ＬＡＮにより第１検体分析装置１及び第２検体分析装置２が通信可能であり、第１検体分析装置１の通信インタフェース３１ｇから起動信号を送信し、第２検体分析装置２の通信インタフェース４１ｇにより起動信号が受信されると、第２検体分析装置２が起動する構成としてもよい。
【０１４１】
また、上述した実施の形態１〜４においては、測定ユニット２１、検体搬送ユニット２２、及び情報処理ユニット２３には電力が供給されていないが、入出力インタフェース４１ｆ及び無線通信ユニット２４には電力が供給されている状態を第２検体分析装置２のシャットダウン状態とする構成を述べたが、これに限定されるものではない。測定ユニット２１、検体搬送ユニット２２への電力供給されていないが、情報処理ユニット２３、入出力インタフェース４１ｆ及び無線通信ユニット２４には電力が供給されており、さらに情報処理ユニット２３のオペレーティングシステムは起動しているが、第２検体分析装置２を制御するためのアプリケーションプログラムは起動していない状態を第２検体分析装置２のシャットダウン状態とする構成としてもよい。
【０１４２】
また、上述した実施の形態１〜４においては、血液検体に含まれる血球を白血球、赤血球、血小板等を検出し、各血球を計数する多項目血球分析装置によって第１検体分析装置１と第２検体分析装置２を構成する例を述べたが、これに限定されるものではない。例えば、第１検体分析装置１と第２検体分析装置２は血液凝固分析装置、免疫分析装置、生化学分析装置でもよい。また、それらの装置において試薬等を冷却するための冷却部を備えているような場合、第２検体分析装置２のシャットダウン状態とは、入出力インタフェース４１ｆ及び無線通信ユニット２４及び試薬の冷却部には電力が供給されており、冷却部の温度を一定に保つ事が可能な状態としてもよい。
【０１４３】
また、上述した実施の形態１〜４においては、単一のコンピュータ１３ａによりコンピュータプログラム３４ａの全ての処理を実行する構成について述べたが、これに限定されるものではなく、上述したコンピュータプログラム３４ａと同様の処理を、複数の装置（コンピュータ）により分散して実行する分散システムとすることも可能である。第２検体分析装置２及び検査情報管理装置５についても同様である。
【産業上の利用可能性】
【０１４４】
本発明の検体分析システム、検体分析装置、及び検体分析システムの管理方法は、血液検体又は尿検体等の人又は動物から採取された検体を処理する検体分析システム及び検体分析装置、並びにこのような検体分析システムの管理方法として有用である。
【符号の説明】
【０１４５】
１００  検体分析システム
１  第１検体分析装置
１４，２４  無線通信ユニット
１１  測定ユニット
１１１  検出部
１１２  電流計
１１３  漏水センサ
１１４  圧力センサ
１２  検体搬送ユニット
１３  情報処理ユニット
１３ａ  コンピュータ
１３２  表示部
１３３  入力部
３１  本体
３１ａ  ＣＰＵ
３４ａ  コンピュータプログラム
３４  記録媒体
２  第２検体分析装置
２３  情報処理ユニット
２３ａ  コンピュータ
４１ａ  ＣＰＵ
５  検査情報管理装置
５ａ  コンピュータ
５１ａ  ＣＰＵ
【図１】
0005919059.tif 000002
【図２】
0005919059.tif 000003
【図３】
0005919059.tif 000004
【図４】
0005919059.tif 000005
【図５】
0005919059.tif 000006
【図６】
0005919059.tif 000007
【図７】
0005919059.tif 000008
【図８】
0005919059.tif 000009
【図９】
0005919059.tif 000010
【図１０】
0005919059.tif 000011
【図１１】
0005919059.tif 000012
【図１２】
0005919059.tif 000013
【図１３】
0005919059.tif 000014
【図１４】
0005919059.tif 000015
【図１５】
0005919059.tif 000016
【図１６】
0005919059.tif 000017
【図１７】
0005919059.tif 000018
【図１８】
0005919059.tif 000019
【図１９】
0005919059.tif 000020
【図２０】
0005919059.tif 000021
【図２１】
0005919059.tif 000022